(57)【要約】【課題】デジタル放送の受信可能なチャンネルを迅速にプリセットできる受信装置を提供する。【解決手段】テレビジョン受信装置１は、放送信号を受信する受信手段１０と、前記受信された放送信号の電界強度を取得する電界強度取得手段３８と、前記取得された電界強度と一定の電界強度を示す基準値とを比較することで、前記電界強度の強弱を判定する強度判定手段３４と、前記強度判定手段が前記基準値以上の電界強度であると判定された放送信号に対し、前記放送信号からデジタル信号を復調するＯＦＤＭ復調手段１５と、を備える。【選択図】図１
2007306338.tif 000002
【特許請求の範囲】
【請求項１】
放送信号を受信する受信手段と、
前記受信された放送信号の電界強度を検出する電界強度検出手段と、
前記検出された電界強度と一定の電界強度を示す基準値とを比較することで、前記電界強度の強弱を判定する判定手段と、
前記判定手段が前記基準値以上の電界強度であると判定した場合に、前記基準値以上であると判定された電界強度が検出された前記放送信号からデジタル信号を復調する復調手段と、
を備えることを特徴とする受信装置。
【請求項２】
請求項１に記載の受信装置において、
前記復調されたデジタル信号に含まれるデータの誤り率を取得する取得手段と、
前記取得された誤り率から前記放送信号が受信可能なデジタル放送の放送信号か、否かを判定するデジタル放送信号判定手段と、
を更に備えることを特徴とする受信装置。
【請求項３】
請求項１乃至２のいずれかに記載の受信装置において、
前記受信手段は、
受信可能な帯域の放送信号を順次受信して前記電界強度検出手段に送る第１のチューナ部と、
前記基準値以上の電界強度を有する放送信号を受信して前記復調手段に送る第２のチューナ部と、
を有することを特徴とする受信装置。
【請求項４】
請求項３に記載の受信装置において、
前記第１のチューナ部は、受信した前記放送信号の中から同期信号を検出する同期信号検出手段を備えることを特徴とする受信装置。
【請求項５】
請求項３乃至４のいずれかに記載の受信装置において、
前記第１のチューナ部と前記第２のチューナ部との間に介在し、
いずれか一方の前記チューナ部が受信する放送信号に対して、前記他方の前記チューナ部に入力する放送信号を減衰させる減衰部を更に備えることを特徴とする受信装置。
【請求項６】
請求項３乃至４のいずれかに記載の受信装置において、
前記第１のチューナ部と前記第２のチューナ部との間に介在し、
いずれか一方の前記チューナ部が受信する放送信号に対して、前記両者のチューナ部の接続を断続するスイッチ部を更に備えることを特徴とする受信装置。
【請求項７】
放送信号を受信する工程と、
前記受信された放送信号の電界強度を検出する工程と、
前記検出された電界強度と一定の電界強度を示す基準値とを比較することで、前記電界強度の強弱を判定する工程と、
前記判定する工程により前記基準値以上の電界強度であると判定された場合に、前記基準値以上であると判定された電界強度が検出された前記放送信号からデジタル信号を復調する工程と、
を備えることにより選択可能なチャンネルを記憶することを特徴とするデジタル放送のチャンネルプリセット方法。
【請求項８】
放送信号を受信する手順と、
前記受信された放送信号の電界強度を検出する手順と、
前記検出された電界強度と一定の電界強度を示す基準値とを比較することで、前記電界強度の強弱を判定する手順と、
前記判定する手順により前記基準値以上の電界強度であると判定された場合に、前記基準値以上であると判定された電界強度が検出された前記放送信号からデジタル信号を復調する手順と、
をコンピュータに実行させることにより選択可能なチャンネルを記憶することを特徴とするデジタル放送のチャンネルプリセットプログラム。
【発明の詳細な説明】
【技術分野】
【０００１】
本発明は、地上波のデジタルテレビ放送のようなデジタル放送を受信する受信装置、デジタル放送のチャンネルプリセット方法およびデジタル放送のチャンネルプリセットプログラムに関する。
【背景技術】
【０００２】
近年、地上波のデジタルテレビ放送が開始され、この放送に対応した車載テレビや携帯テレビが発売されている。このようなテレビ装置は、視聴者の移動先で視聴されることが多く、受信場所が視聴の都度変化することから、移動先において受信可能な放送チャンネルが高速でプリセットされる必要があった。しかしながら、デジタルテレビ放送の周波数帯域は広範であることに加え、受信可能なチャンネルか、否かの判定は、放送信号をデジタル信号に復調する際に検出される誤り率に基づき判定されるため、複雑な処理によるデジタル信号への復調を、放送可能な全てのチャンネルに対してそれぞれ行い、受信の状態を調べるのに、１分以上の時間を要した。従って、受信可能なチャンネルを検出してプリセットが終了するまでに多くの時間を要し、一連の処理が終了するまでの間、視聴者を待たせた。このような課題に対応すべく、下記特許文献１に記載された受信装置のように、放送を受信する位置を検出するＧＰＳ（Ｇｌｏｂａｌ  Ｐｏｓｉｔｉｏｎｉｎｇ  Ｓｙｓｔｅｍ）受信機を備え、このＧＰＳ受信機が受信した位置情報と、予め受信して取得した放送局に関する情報とから、受信して視聴できる可能性のあるチャンネルを絞り込み、絞り込んだチャンネル毎に受信の状態を調べ、受信可能と判定されたチャンネルを記憶（プリセット）する装置が提案されている。
【０００３】
【特許文献１】特開２００３−２７３７５９号公報
【発明の開示】
【発明が解決しようとする課題】
【０００４】
しかしながら、前記の公報に開示された提案では、テレビ装置は、受信した放送信号のデジタル処理とは別に、位置を精度よく検出するために受信したＧＰＳ信号に対して複雑な演算処理が必要であることから、テレビ装置の制御部での処理が複雑になり、受信可能なチャンネルの検索処理に多くの時間を要した。
【課題を解決するための手段】
【０００５】
上記した課題を解決するために、本発明の受信装置は、放送信号を受信する受信手段と、前記受信された放送信号の電界強度を検出する電界強度検出手段と、前記検出された電界強度と一定の電界強度を示す基準値とを比較することで、前記電界強度の強弱を判定する判定手段と、前記判定手段が前記基準値以上の電界強度であると判定した場合に、前記基準値以上であると判定された電界強度が検出された前記放送信号からデジタル信号を復調する復調手段と、を備えることを特徴とする。
【０００６】
この発明によれば、放送信号を受信した後、受信した放送信号の電界強度を検出し、検出した電界強度と一定の電界強度を示す基準値との比較から電界強度の強弱を判定し、この判定の結果、基準値以上の電界強度であると判定された場合に、受信した放送信号からデジタル信号が復調される。従って、受信した放送信号の中から、所要時間の短い電界強度取得および判定処理により受信可能と判定された放送信号に対して、デジタル信号への復調処理が実行されるため、処理が複雑な復調処理の実行回数が減ることから、受信可能なチャンネルの検索に要する所要時間を短縮できる。
【０００７】
本発明の受信装置は、前記復調されたデジタル信号に含まれるデータの誤り率を取得する取得手段と、前記復調されたデジタル信号に含まれるデータの誤り率を取得する取得手段と、前記取得された誤り率から前記放送信号が受信可能なデジタル放送の放送信号か、否かを判定するデジタル放送信号判定手段と、を更に備えることが好ましい。
【０００８】
この発明によれば、復調されたデジタル信号に含まれるデータの誤り率に基づいて、受信可能なデジタル放送の放送信号か、否かが判定されるため、受信可能なデジタル放送を高い精度で検索できる。
【０００９】
本発明の受信装置では、前記受信手段は、受信可能な帯域の放送信号を順次受信して前記電界強度検出手段に送る第１のチューナ部と、前記基準値以上の電界強度を有する放送信号を受信して前記復調手段に送る第２のチューナ部と、を有することが好ましい。
【００１０】
この発明によれば、受信可能な帯域の放送信号を順次受信して電界強度検出手段に送る第１のチューナと、基準値以上の電界強度を有する放送信号を受信する第２のチューナとにより、それぞれ並行して受信処理できるため、受信可能なチャンネルの検索に要する所要時間を更に短縮できる。
【００１１】
本発明の受信装置では、前記第１のチューナ部は、受信した前記放送信号の中から同期信号を検出する同期信号検出手段を備えることが好ましい。
【００１２】
この発明によれば、放送信号に含まれる同期信号を検出することで、放送信号に同期信号を含むアナログの放送信号と、放送信号に同期信号を含まないデジタルの放送信号とを容易に分類できる。
【００１３】
本発明の受信装置は、前記第１のチューナ部と前記第２のチューナ部との間に介在し、いずれか一方の前記チューナ部が受信する放送信号に対して、前記他方の前記チューナ部に入力する放送信号を減衰させる減衰部を更に備えてもよい。また、前記第１のチューナ部と前記第２のチューナ部との間に介在し、いずれか一方の前記チューナ部が受信する放送信号に対して、前記両者のチューナ部の接続を断続するスイッチ部を更に備えても良い。
【００１４】
この発明によれば、一方のチューナ部が放送信号を受信する場合に、他方のチューナ部が与える影響は軽減されるため、一方のチューナ部の受信性能が向上する。
【００１５】
上記した課題を解決するために、本発明のデジタル放送のチャンネルプリセット方法は、放送信号を受信する工程と、前記受信された放送信号の電界強度を検出する工程と、前記検出された電界強度と一定の電界強度を示す基準値とを比較することで、前記電界強度の強弱を判定する工程と、前記判定する工程により前記基準値以上の電界強度であると判定された場合に、前記基準値以上であると判定された電界強度が検出された前記放送信号からデジタル信号を復調する工程と、を備えることにより選択可能なチャンネルを記憶することを特徴とする。
【００１６】
この発明によれば、放送信号を受信した後、受信した放送信号の電界強度を検出し、検出した電界強度と一定の電界強度を示す基準値との比較から電界強度の強弱を判定し、この判定の結果、基準値以上の電界強度であると判定された場合に、受信した放送信号からデジタル信号が復調される。従って、受信した放送信号の中から、所要時間の短い電界強度取得および判定処理により受信可能と判定された放送信号に対して、デジタル信号への復調処理が実行されるため、処理が複雑な復調処理の実行回数が減ることから、受信可能なチャンネルの検索に要する所要時間を短縮できる。
【００１７】
上記した課題を解決するために、本発明のデジタル放送のチャンネルプリセットプログラムは、放送信号を受信する手順と、前記受信された放送信号の電界強度を検出する手順と、前記検出された電界強度と一定の電界強度を示す基準値とを比較することで、前記電界強度の強弱を判定する手順と、前記判定する手順により前記基準値以上の電界強度であると判定された場合に、前記基準値以上であると判定された電界強度が検出された前記放送信号からデジタル信号を復調する手順と、をコンピュータに実行させることにより選択可能なチャンネルを記憶することを特徴とする。
【００１８】
この発明によれば、放送信号を受信した後、受信した放送信号の電界強度を検出し、検出した電界強度と一定の電界強度を示す基準値との比較から電界強度の強弱を判定し、この判定の結果、基準値以上の電界強度であると判定された場合に、受信した放送信号からデジタル信号が復調される。従って、受信した放送信号の中から、所要時間の短い電界強度取得および判定処理により受信可能と判定された放送信号に対して、デジタル信号への復調処理が実行されるため、処理が複雑な復調処理の実行回数が減ることから、受信可能なチャンネルの検索に要する所要時間を短縮できる。
【発明を実施するための最良の形態】
【００１９】
以下、本発明の実施の形態を、図面を用いて説明する。
（実施形態１）
【００２０】
図１は、本発明に係るデジタル放送を受信する受信装置、を適用したテレビジョン受信装置１の機能構成を示すブロック図である。このテレビジョン受信装置１は、少なくとも地上波のデジタルテレビ放送が受信可能で、複数の放送エリアを跨いで携帯可能なテレビ放送の受信機を想定する。
【００２１】
このテレビジョン受信装置１は、受信手段１０と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調手段１５と、誤り訂正手段２０と、ＭＰＥＧ（Ｍｏｖｉｎｇ  Ｐｉｃｔｕｒｅ  Ｅｘｐｅｒｔｓ  Ｇｒｏｕｐ）復調手段２５と、制御手段３０と、操作手段４０と、記憶手段４５と、表示手段５０と、音声出力手段５５と、受信アンテナ（空中線）６０とを備える。また、制御手段３０は、電界強度取得手段３８、強度判定手段３４、誤り率取得手段３６およびデジタル放送信号判定手段３５を有する。
【００２２】
受信手段１０は、受信アンテナ６０を介して入力される電波信号をチャンネル毎に受信するチューナ６１を有する。このチューナ６１は、所定の周波数帯域を用いて配信されるデジタルテレビ放送の放送信号を選択して受信する。より具体的には、日本における地上波のデジタルテレビ放送の場合、ＵＨＦ（Ｕｌｔｒａ  Ｈｉｇｈ  Ｆｒｅｑｕｅｎｃｙ）帯域の複数チャンネルが使用され、１つのチャンネルを構成する６ＭＨｚの帯域幅が１４分割されると共に、この中の１３個がセグメントとして使用されている。これらのセグメントは、１セグメントから成る強階層と１２セグメントから成る弱階層の２つの階層に分離され階層伝送される。即ち、１セグメントから成る強階層を用いて低解像度のテレビ放送が配信され、１２セグメントから成る弱階層を用いてハイビジョン等の高解像度のテレビ放送が配信される。このチューナ６１は、強階層を用いた放送および弱階層を用いた放送の両方または、何れか一方の電波を受信できるように構成されており、予め設定された周波数帯域の各チャンネルの中から、操作手段４０から指示されたチャンネルの放送信号を受信できることに加え、予め設定されたプリセット開始チャンネルからプリセット終了チャンネルまでの各チャンネルを自動的に順次切替えて受信することもできる。この受信手段１０は、制御手段３０からの指示に応じて動作する。具体的には、制御手段３０から放送信号の受信を指示された場合、チューナ６１は、指示されたチャンネルで受信する放送信号をＯＦＤＭ復調手段１５に送る。また、制御手段３０から電界強度のサーチが指示された場合、チューナ６１は、予め設定されたチャンネルから、順次チャンネルを切替え、それぞれのチャンネルにおける電界強度を検出する。ここで検出された電界強度は、必要に応じて電界強度取得手段３８から参照される。
【００２３】
ＯＦＤＭ復調手段１５は、制御手段３０からの指示に応じて、受信手段１０から送られる放送信号を「０」と「１」から成るデジタル信号に復調する。このＯＦＤＭ復調手段１５で復調されたデジタル信号は、誤り訂正手段２０に送られる。
【００２４】
誤り訂正手段２０は、制御手段３０からの指示に応じて、ＯＦＤＭ復調手段１５から送られるデジタル信号を、公知の手順で誤り訂正処理する。具体的には、放送局から送出されたＴＳパケットが、リードソロモン符号化および畳み込み符号化されて送信されている場合、誤り訂正手段２０は、ビタビ復号、リードソロモン復号を行い、ＴＳパケットを復元する。このような方法で誤り訂正処理されたデジタル信号は、ＭＰＥＧ復調手段２５に送られる。
【００２５】
ＭＰＥＧ復調手段２５は、制御手段３０からの指示に応じて、誤り訂正手段２０から送られるＴＳパケットのようなデジタル信号を、映像信号と音声信号に分離して復調する。復調された映像信号は、液晶パネル等の表示媒体を有する表示手段５０に送られて表示されると共に、復調された音声信号は、スピーカ等を有する音声出力手段５５に送られて音声出力される。
【００２６】
電界強度取得手段３８は、チューナ６１が受信した各チャンネルにおける電波信号の電界強度の値とチャンネルの情報を取得する。ここで取得された電界強度の値は、強度判定手段３４に送られる。
【００２７】
強度判定手段３４は、電界強度取得手段３８から送られる電界強度の値と、予め設定された一定の電界強度を示す基準値とを比較することで、受信した電界強度の強弱を判定する。この判定の結果、受信した電界強度の値が基準値以上の値であった場合、制御手段３０は、受信した電波信号は、受信可能な電界強度を有すると判定し、チューナ６１に対して、指示するチャンネルで放送信号を受信し、受信した放送信号をＯＦＤＭ復調手段１５に送るように指示すると共に、ＯＦＤＭ復調手段１５に対して、受信手段１０から送られる電波信号からデジタル信号の復調を指示する。
【００２８】
誤り率取得手段３６は、制御手段３０からの指示に応じて、復調したデジタル信号におけるデータの誤り率を算出するように構成されている。この誤り率取得手段３６は、誤り訂正手段２０でデジタル信号が誤り訂正処理される際に、この処理における誤り率を取得すると共に、取得された誤り率の情報は、デジタル放送信号判定手段３５に送られる。
【００２９】
デジタル放送信号判定手段３５は、誤り率取得手段３６から送られる誤り率の情報と、予め設定された誤り率基準値との大小関係から、デジタル信号の品質の優劣を判定し、誤り率が誤り率基準値以下であった場合、制御手段３０は、デジタル信号が所定の基準以上の品質であると判定し、ＭＰＥＧ復調手段２５に対して、デジタル信号を映像信号と音声信号に分離するよう指示する。
【００３０】
操作手段４０は、チャンネルの選択や音声等の設定を行うべくユーザにより操作され、ここで操作された指示内容は制御手段３０に送られ、制御手段３０が各機能部を制御するように構成されている。
【００３１】
記憶手段４５は、復調されたデジタル信号の少なくとも１つを、選局可能なチャンネルの情報として記憶する。この記憶手段４５に記憶されたチャンネルの情報は、受信可能なチャンネルのプリセット情報として制御手段３０から参照され、映像信号を表示する表示媒体、もしくはこの表示媒体とは異なる他の表示媒体に、選択可能に表示される。
【００３２】
尚、図示は略すが、このテレビジョン受信装置１は、演算処理を行うＣＰＵ（Ｃｅｎｔｒａｌ  Ｐｒｏｃｅｓｓｉｎｇ  Ｕｎｉｔ）や、ＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ），フラッシュメモリ等のメモリや、ＬＳＩ（Ｌａｒｇｅ  Ｓｃａｌｅ  Ｉｎｔｅｇｒａｔｉｏｎ）等の集積回路をハードウェアとして備える。これらのハードウェアは、バスを介してそれぞれの信号が授受可能に接続され、メモリに記憶されるプログラムに基づき、コンピュータのような情報の処理が可能であり、前記した各機能部の機能は、これらのハードウェアとソフトウェアとが有機的に協働することにより実現される。
【００３３】
図２は、テレビジョン受信装置１で受信可能なチャンネルをプリセットする処理の流れを説明するフローチャートである。
【００３４】
この処理が開始されると、最初に、受信手段１０は、受信対象のチャンネルを所定のプリセット開始チャンネルに設定する（ステップＳ１００）。続いて、チューナ６１は、設定したチャンネルで信号の受信を開始する（ステップＳ１０２）。
【００３５】
次に、設定したチャンネルで電波の信号が受信できるか、否か判定され（ステップＳ１０４）、設定したチャンネルで信号が受信できた場合（ステップＳ１０４でＹｅｓ）、電界強度から受信可能なチャンネル候補を抽出する工程（ステップＳ１０６）が実行された後、次の工程（ステップＳ１０８）に進む。尚、前記した工程（ステップＳ１０６）の詳細は後述する。他方で、設定したチャンネルで信号が受信できない場合（ステップＳ１０４でＮｏ）、設定したチャンネルがプリセット終了チャンネルに達したか、否か判定される（ステップＳ１０８）。
【００３６】
ここで、設定したチャンネルがプリセット終了チャンネルに達していない場合（ステップＳ１０８でＮｏ）、受信手段１０は、受信対象のチャンネルを次のチャンネルに設定して（ステップＳ１１０）、受信手段１０が設定したチャンネルで信号を受信する工程（ステップＳ１０２）に戻る。
【００３７】
他方で、設定したチャンネルがプリセット終了チャンネルに達した場合（ステップＳ１０８でＹｅｓ）、電界強度から受信可能なチャンネル候補が抽出できたか、否か判定（ステップＳ１１２）され、受信可能なチャンネル候補が１つ以上抽出できた場合（ステップＳ１１２でＹｅｓ）、デジタル信号の誤り率から受信可能なチャンネルを確定する工程（ステップＳ１１４）が実行された後、一連の処理は終了する。尚、前記した工程（ステップＳ１１４）の詳細は後述する。また、受信可能なチャンネル候補が抽出できなかった場合（ステップＳ１１２でＮｏ）、一連の処理は終了する。
【００３８】
次に、電界強度から受信可能なチャンネル候補を抽出する工程（ステップＳ１０６）の詳細を、図３に基づき説明する。
【００３９】
この工程（ステップＳ１０６）が実行されると、最初に、チューナ６１は、受信した信号の電界強度を検出する（ステップＳ１２０）。
【００４０】
続いて、予め設定された電界強度の基準値との大小を比較する（ステップＳ１２２）。この比較の結果から、電界強度の値が基準値以上か、否か判定され（ステップＳ１２４）、電界強度の値が基準値未満である場合（ステップＳ１２４でＮｏ）、一連の処理を終了して、図２の工程（ステップＳ１０８）に戻る。
【００４１】
他方で、電界強度の値が基準値以上である場合（ステップＳ１２４でＹｅｓ）、受信した信号のチャンネルは、放送を受信可能なチャンネル候補として記憶手段４５に記憶され（ステップＳ１２６）、図２の工程（ステップＳ１０８）に戻る。
【００４２】
次に、デジタル信号の誤り率から受信可能なチャンネルを確定する工程（ステップＳ１１４）の詳細を、図４に基づき説明する。
【００４３】
この工程（ステップＳ１１４）が実行されると、最初に、記憶手段４５に記憶された放送が受信可能なチャンネル候補の１つが選択される（ステップＳ１３０）。次に、選択されたチャンネルの信号がＯＦＤＭ復調手段１５に送られ、このチャンネルで受信される信号はデジタル信号に復調される（ステップＳ１３２）。
【００４４】
続いて、ＯＦＤＭ復調手段１５でデジタル信号が正常に復調されたか、否か判定され（ステップＳ１３４）、何らかの理由により、デジタル信号が正常に復調されなかった場合（ステップＳ１３４でＮｏ）、受信候補のチャンネルは全て選択されたか、否か判定する工程（ステップＳ１４２）に進む。
【００４５】
他方で、デジタル信号が正常に復調された場合（ステップＳ１３４でＹｅｓ）、誤り訂正手段２０でデジタル信号が誤り訂正され、誤り率取得手段３６は、誤り率訂正で検出するデジタル信号の誤り率を取得する（ステップＳ１３６）。
【００４６】
次に、デジタル放送信号判定手段３５は、誤り率取得手段３６で取得された誤り率から、受信した信号は、受信可能なデジタル放送信号であるか、否かを判定する（ステップＳ１３８）。ここで、受信可能なデジタル放送信号であると判定された場合（ステップＳ１３８でＹｅｓ）、受信可能なデジタル放送のチャンネルとして記憶手段４５に記憶され（ステップＳ１４０）、受信候補のチャンネルは全て選択されたか、否か判定する工程（ステップＳ１４２）に進む。
【００４７】
他方で、受信可能なデジタル放送信号ではないと判定された場合（ステップＳ１３８でＮｏ）、受信候補のチャンネルは全て選択されたか、否か判定する工程（ステップＳ１４２）に進む。
【００４８】
受信候補のチャンネルは全て選択されたか、否か判定する工程（ステップＳ１４２）では、記憶手段４５に記憶された受信可能なチャンネル候補が全て選択されたか、否か判定される。ここで、選択されていない候補が存在する場合（ステップＳ１４２でＮｏ）、最初の工程（ステップＳ１３０）に戻り、次の受信候補のチャンネルが選択される。また、すべての候補が選択された場合（ステップＳ１４２でＹｅｓ）、一連の工程は終了する。
【００４９】
以上述べた本実施形態によれば、以下のような効果を奏する。
（１）受信可能なチャンネルの候補を電界強度から抽出した後、抽出したチャンネル候補の放送信号をデジタル信号へ復調する際の誤り率から、受信可能なチャンネルを決定することから、受信可能なチャンネルを高速かつ確実にプリセットできるため、このようなチャンネル検索方法を適用することで、視聴者に対して使い勝手の良いデジタル放送受信装置を提供できる。
（実施形態２）
【００５０】
次に、本発明の実施形態２について、図５を参照して説明する。尚、以下の説明では、既に説明した部分と同じ部分については、同一符号を付してその説明を省略する。
【００５１】
図５は、本実施形態２のテレビジョン受信装置１の機能構成を示すブロック図である。前記の実施形態１におけるテレビジョン受信装置１では、チューナ６１は、制御手段３０からの指示に従い、電界強度の検出と放送信号の受信とを切替えて機能したが、本実施形態２では、受信手段１０は、電界強度を検出する第１のチューナ６２と、放送信号を受信する第２のチューナ６４とを有する。このような構成により、受信手段１０は、電界強度の検出と、放送信号の受信とを並行して処理できる。
【００５２】
更に、図６は、本実施形態２におけるテレビジョン受信装置１で受信可能なチャンネルをプリセットする処理の流れを説明するフローチャートであり、このフローチャートに示すように、電界強度から受信可能なチャンネル候補を抽出する工程（ステップＳ１０６）の後、続いてデジタル信号の誤り率から受信可能なチャンネルを確定する工程（ステップＳ１１４）を実行することで、第１のチューナ６２が受信可能なチャンネル候補を順次抽出し、第２のチューナ６４は、第１のチューナ６２により抽出されたチャンネル候補の放送信号を受信して、デジタル信号の誤り率から受信可能なチャンネルを確定する。
【００５３】
本実施形態２によれば、実施形態１で述べた（１）の効果に加え、以下のような効果を奏することができる。
（２）電界強度の検出と、放送信号の受信とを並行して処理できるため、受信可能なチャンネルをより高速にプリセットできる。
（３）第１のチューナ６２は、電界強度を検出できる機能を少なくとも有すればよいため、単純な構成で機能を実現できる。
（実施形態３）
【００５４】
図７は、実施形態３のテレビジョン受信装置１の機能構成を示すブロック図である。本実施形態３のテレビジョン受信装置１は、前記の実施形態１におけるテレビジョン受信装置１の受信手段１０と構成は異なり、電界強度を検出する第１のチューナ６２と、放送信号を受信する第２のチューナ６４をそれぞれ有すると共に、第１のチューナ６２は、同期信号検出手段６６を具備する。この同期信号検出手段６６は、受信した放送信号の中から同期信号を検出する機能を有する。このような同期信号は、アナログ放送には付加されるがデジタル放送には付加されないため、同期信号検出手段６６が同期信号を検出するか、否かによって、受信した放送信号がデジタル放送か、アナログ放送かを判定する。
【００５５】
本実施形態３によれば、実施形態１で述べた（１）の効果、および実施形態２で述べた（２）と（３）の効果に加え、以下のような効果を奏することができる。
（４）同期信号検出手段６６により、受信した放送信号がデジタル放送か、アナログ放送かを容易に判定できるため、受信可能なチャンネル候補から、事前にアナログ放送を排除することができる。したがって、受信可能なチャンネルをより高速にプリセットすることができる。
（実施形態４）
【００５６】
図８は、実施形態４のテレビジョン受信装置１の機能構成を示すブロック図である。本実施形態４のテレビジョン受信装置１は、前記の実施形態１におけるテレビジョン受信装置１の受信手段１０と構成は異なり、電界強度を検出する第１のチューナ６２と、放送信号を受信する第２のチューナ６４をそれぞれ有すると共に、これら２つのチューナ（６２，６４）の間に減衰器７５が介在する。この減衰器７５は、例えば、抵抗やコンデンサ等で簡便に構成され、第２のチューナ６４が受信する放送信号に対して、第１のチューナ６２が与える影響を軽減するべく、この第１のチューナ６２に入力する放送信号を減衰させる機能を有する。また、減衰器７５により減衰される放送信号は、第１のチューナ６２に入力されるが、減衰器７５による減衰量は既知であるため、この第１のチューナ６２は、減衰量の分をオフセットして受信するように構成されている。また、本実施形態４の第１のチューナ６２に、実施形態３で記した同期信号検出手段６６を更に具備した構成も想定できる。
【００５７】
本実施形態４によれば、実施形態１で述べた（１）の効果、および実施形態２で述べた（２）と（３）の効果に加え、以下のような効果を奏することができる。
（５）第２のチューナ６４は、第１のチューナ６２からの漏れ電波等による影響を受けること無く、放送信号を受信できる。
（実施形態５）
【００５８】
図９は、実施形態５のテレビジョン受信装置１の機能構成を示すブロック図である。本実施形態５のテレビジョン受信装置１は、前記の実施形態１におけるテレビジョン受信装置１の受信手段１０と構成は異なり、電界強度を検出する第１のチューナ６２と、放送信号を受信する第２のチューナ６４をそれぞれ有すると共に、これら２つのチューナ（６２，６４）の間にスイッチ７０が介在する。このスイッチ７０は、第２のチューナ６４が受信する放送信号に対して、第１のチューナ６２が与える影響を軽減するべく、制御手段３０の指示に従い、第１のチューナ６２に入力する放送信号を断続する。具体的には、第１のチューナ６２が電界強度の検出を終了したのを受けて、制御手段３０は、このスイッチ７０を開放する。また、本実施形態５の第１のチューナ６２に、実施形態３で記した同期信号検出手段６６を更に具備した構成も想定できる。  
【００５９】
本実施形態５によれば、前記実施形態４で述べた効果と同一な効果を奏することができる。
【００６０】
以上、本発明を図示した実施形態に基づいて説明したが、本発明は、本実施形態に限定されるものではなく、以下に述べるような変形例も想定できる。
（１）上記した各実施形態は、地上波のデジタルテレビ放送を受信する携帯可能なテレビジョン受信装置１への適用を想定したが、本発明の受信装置は、これに限るものではなく、デジタルラジオ放送やデジタルデータ放送等を受信するような受信装置に対しても適用できる。更に、本発明の受信装置を半導体回路等に集積し、種々の情報機器に適用しても良い。また、本発明が適用できる地上波のデジタルテレビ放送の規格は、日本で採用されているＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ）方式に限定されるものではなく、例えば、ＤＶＢ−Ｔ（Ｄｉｇｉｔａｌ  Ｖｉｄｅｏ  Ｂｒｏａｄｃａｓｔｉｎｇ  Ｔｅｒｒｅｓｔｒｉａｌ）方式のような他の規格に対しても適用できる。
【図面の簡単な説明】
【００６１】
【図１】本発明の実施形態１に係るテレビジョン受信装置の機能構成を示すブロック図。
【図２】本発明の実施形態１に係るテレビジョン受信装置で受信可能なチャンネルをプリセットする処理の流れを説明するフローチャート。
【図３】電界強度から受信可能チャンネル候補を抽出する処理の流れを説明するフローチャート。
【図４】誤り率から受信可能チャンネルを確定する処理の流れを説明するフローチャート。
【図５】本発明の実施形態２に係るテレビジョン受信装置の機能構成を示すブロック図。
【図６】本発明の実施形態２に係るテレビジョン受信装置で受信可能なチャンネルをプリセットする処理の流れを説明するフローチャート。
【図７】本発明の実施形態３に係るテレビジョン受信装置の機能構成を示すブロック図。
【図８】本発明の実施形態４に係るテレビジョン受信装置の機能構成を示すブロック図。
【図９】本発明の実施形態５に係るテレビジョン受信装置の機能構成を示すブロック図。
【符号の説明】
【００６２】
１…テレビジョン受信装置、１０…受信手段、１５…ＯＦＤＭ復調手段、２０…誤り訂正手段、２５…ＭＰＥＧ復調手段、３０…制御手段、３４…強度判定手段、３５…デジタル放送信号判定手段、３６…誤り率取得手段、３８…電界強度取得手段、４０…操作手段、４５…記憶手段、５０…表示手段、５５…音声出力手段、６０…受信アンテナ、６１…チューナ、６２…第１のチューナ、６４…第２のチューナ、６６…同期信号検出手段、７０…スイッチ、７５…減衰器。
【図１】
2007306338.tif 000003
【図２】
2007306338.tif 000004
【図３】
2007306338.tif 000005
【図４】
2007306338.tif 000006
【図５】
2007306338.tif 000007
【図６】
2007306338.tif 000008
【図７】
2007306338.tif 000009
【図８】
2007306338.tif 000010
【図９】
2007306338.tif 000011